(57)【特許請求の範囲】
【請求項１】
生体情報生成装置であって、
生体を読み取るための生体読取面と、
前記生体読取面に、前記生体を異なる位置に配置させるための配置規定部と、
前記生体読取面の異なる位置に配置された前記生体を撮影するための光学ユニット部を含み、前記光学ユニット部に対向する前記異なる位置ごとに異なる前記生体の露出面を撮影することによって、前記異なる位置ごとに画像データを取得する取得部と、
前記画像データに基づいて、生体情報を生成する生体情報生成部と、
前記生体の位置を表す情報と、前記異なる位置ごとに取得した前記画像データに基づいて生成した生体情報とを対応付けて生体情報テンプレートを作成する生体情報テンプレート作成部と、
を備える生体情報生成装置。
【請求項２】
請求項１に記載の生体情報生成装置であって、
前記配置規定部は、前記生体読取面を保護するための保護カバーを含み、
前記生体情報生成装置は、更に、前記保護カバーの位置を検出することにより、前記生体の位置を検出する検出部を備える、
生体情報生成装置。
【請求項３】
請求項１または請求項２に記載の生体情報生成装置であって、
前記配置規定部は、前記生体読取面に対する前記生体の方向が異なるように前記生体を配置させる、
生体情報生成装置。
【請求項４】
請求項３に記載の生体情報生成装置であって、
前記配置規定部は、前記生体読取面に対して、多方向から生体を配置することができるように構成されている、
生体情報生成装置。
【請求項５】
請求項４に記載の生体情報生成装置であって、
前記配置規定部は、前記生体読取面に対して、第１の方向、前記第１の方向に平行、かつ、前記第１の方向に対して反対の方向である第２の方向、前記第１の方向および前記第２の方向と交差する第３の方向、および、前記第３の方向に平行、かつ、前記第３の方向に対して反対の方向である第４の方向、から前記生体を配置可能に構成されている、
生体情報生成装置。
【請求項６】
請求項２に記載の生体情報生成装置であって、
前記保護カバーには、前記光学ユニットの性能確認に利用される図形が設けられている、
生体情報生成装置。
【請求項７】
請求項１ないし請求項６のいずれか一項に記載の生体情報生成装置であって、
前記生体情報には、前記画像データに基づいて抽出された前記生体の特徴量を表す特徴量情報が含まれている、
生体情報生成装置。
【請求項８】
請求項１に記載の生体情報生成装置であって、
前記生体情報生成部は、更に、前記画像データにより表される前記生体の画像に基づいて、前記生体の位置を検出する、
生体情報生成装置。
【請求項９】
生体認証装置であって、
請求項１ないし請求項８のいずれか一項に記載の生体情報生成装置と、
前記生体の位置、前記生体の位置ごとに取得される生体情報、および、前記生体情報テンプレートに基づいて、前記生体の認証を行う認証部と、
を備える生体認証装置。
【請求項１０】
請求項９に記載の生体認証装置であって、
前記配置規定部には、前記位置に応じて、予め番号が対応付けられており、
前記生体情報テンプレート作成部は、前記生体の位置と、前記番号と、前記生体情報とを関連付けて保存しており、
前記生体認証装置は、更に、
利用者の暗証番号を格納する格納部と、
前記生体の位置に対応付けられた番号を入力する入力部と、を備え、
前記認証部は、更に、前記入力された番号と前記暗証番号とを照合して、前記暗証番号の認証を行う、
生体認証装置。
【請求項１１】
生体を読み取るための生体読取面と、前記生体読取面に、前記生体を異なる位置に配置させるための配置規定部とを備える生体情報生成装置により実行される生体情報生成方法であって、
前記生体読取面に配置された前記異なる位置ごとに異なる前記生体の露出面を撮影することによって、前記異なる位置ごとに画像データを取得し、
前記画像データに基づいて、生体情報を生成し、
前記生体の位置を表す情報と、前記異なる位置ごとに取得した前記画像データに基づいて生成した生体情報とを対応付けて生体情報テンプレートを作成する、生体情報生成方法。
【請求項１２】
生体を読み取るための生体読取面と、前記生体読取面に、前記生体を異なる位置に配置させるための配置規定部とを備える生体認証装置により実行される生体認証方法であって、
前記生体読取面に配置された前記異なる位置ごとに異なる前記生体の露出面を撮影することによって、前記異なる位置ごとに画像データを取得し、
前記画像データに基づいて、生体情報を生成し、
前記生体の位置を表す情報と、前記異なる位置ごとに取得した前記画像データに基づいて生成した生体情報とを対応付けて生体情報テンプレートを作成し、
前記生体の位置、前記生体の位置ごとに取得される生体情報、および、前記生体情報テンプレートに基づいて、前記生体の認証を行う、
生体認証方法。
【発明の詳細な説明】
【技術分野】
【０００１】
本発明は、個人を特定するための生体認証装置に関し、特に、１の生体から複数の認証情報を取得する生体認証装置に関する。
【背景技術】
【０００２】
自動取引装置（例えば、ＡＴＭ）における取引や事務所の入退室、機密情報の取り扱いにおいて、利用者の生体情報を利用したユーザ認証技術が利用されている。ユーザ認証を必要とする状況が増加するに連れて、生体情報の精度向上や種別増加などが望まれている。しかしながら、生体は個人固有のものであり、一人当たりの生体情報には数に限りがある。例えば、顔であれば一つ、掌紋、掌静脈では二つ、指紋や指静脈では１０個である。従来技術では、１つの生体に対して１つの生体情報を取得し利用しているので、ユーザ認証のレベルを変更することが困難であった。
【０００３】
このような問題を解決するために、例えば、生体として顔を利用し、顔画像における表情の違いで生体情報を複数化する技術が提案されている（例えば、特許文献１）。
【先行技術文献】
【特許文献】
【０００４】
【特許文献１】特開２００６−２４１７７方公報
【特許文献２】特開２００６−１３３９３０号公報
【特許文献３】特開２００４−３８８７０号公報
【特許文献４】特開２００８−１９７７１２号公報
【特許文献５】特開２００７−５８６４３号公報
【発明の概要】
【発明が解決しようとする課題】
【０００５】
しかしながら、顔の表情は抽象的であり、認証制度が低いので、実運用には適さないという問題がある。また、表情という観点は適用可能な生体が顔（すなわち、顔認証技術）に限定されるものであり、他の生体認証技術への適用は困難という問題がある。
【０００６】
本発明は上述の課題に鑑みてなされたものであり、１の生体から複数の生体情報を生成する技術の提供を目的とする。
【課題を解決するための手段】
【０００７】
本発明は、上述の課題の少なくとも一部を解決するためになされたものであり、以下の形態又は適用例として実現することが可能である。
本発明の一形態は、生体情報生成装置であって、生体を読み取るための生体読取面と；前記生体読取面に、前記生体を異なる位置に配置させるための配置規定部と；前記生体読取面の異なる位置に配置された前記生体を撮影するための光学ユニット部を含み、前記光学ユニット部に対向する前記異なる位置ごとに異なる前記生体の露出面を撮影することによって、前記異なる位置ごとに画像データを取得する取得部と；前記画像データに基づいて、生体情報を生成する生体情報生成部と；前記生体の位置を表す情報と、前記異なる位置ごとに取得した前記画像データに基づいて生成した生体情報とを対応付けて生体情報テンプレートを作成する生体情報テンプレート作成部とを備える生体情報生成装置である。この形態によれば、１の生体について、生体の位置ごとに取得した画像データに基づいて生体情報を生成できる。従って、１の生体から複数の生体情報テンプレートを生成できる。
【０００８】
［適用例１］
生体を読み取るための生体読取面と、前記生体読取面に、前記生体を異なる位置または向きに配置させるための配置規定部と、前記生体読取面に配置された前記生体の画像データを取得する取得部と、前記画像データに基づいて、生体情報を生成する生体情報生成部と、前記生体の位置または向きを表す情報と、前記位置または向きごとに取得した前記画像データに基づいて生成した生体情報とを対応付けて生体情報テンプレートを作成する生体情報テンプレート作成部と、を備える生体情報生成装置。
【０００９】
適用例１の生体情報生成装置によれば、１の生体について、生体の位置または向きごとに取得した画像データに基づいて生体情報を生成できる。従って、１の生体から複数の生体情報テンプレートを生成できる。
【００１０】
［適用例２］
適用例１の生体情報生成装置であって、前記配置規定部は、前記生体読取面を保護するための可動式の保護カバーを含み、前記生体情報生成装置は、更に、前記保護カバーの位置を検出することにより、前記生体の位置または向きを検出する検出部を備える。適用例２の生体情報生成装置によれば、生体読取面を保護するための可動式の保護カバーの位置を検出することにより、生体の位置または向きが検出される。従って、生体読取面を保護しつつ、生体の位置または向きを容易に検出できる。
【００１１】
［適用例３］
適用例１または適用例２記載の生体情報生成装置であって、前記配置規定部は、前記生体読取面前記生体読取面に対する前記生体の方向、および、前記光学ユニット部に対向する前記生体の露出面積、の少なくとも一方が異なるように前記生体を配置させる。適用例３の生体情報生成装置によれば、生体読取面に対する生体の方向、および、光学ユニット部に対向する生体の露出面積の少なくとも一方が異なるように生体が配置可能に構成された配置規定部が設けられている。従って、生体を種々の態様に配置することができる。従って、簡易な構成で、１の生体に対して複数の生体情報を生成できる。
【００１２】
［適用例４］
適用例３の生体情報生成装置であって、前記配置規定部は、前記生体読取面に対して、多方向から生体を配置することができるように構成されている。適用例４の生体情報生成装置によれば、配置規定部は、生体読取面に対して多方向から生体を配置可能に構成されている。同じ生体であっても、撮影する方向が異なると、生体への赤外光の当たり方が異なることにより、別の画像となる。従って、適用例４の生体情報生成装置によれば、撮影する方向を異ならせることにより、簡易に、１の生体から複数の生体情報を生成できる。
【００１３】
［適用例５］
適用例４の生体情報生成装置であって、前記配置規定部は、前記生体読取面に対して、第１の方向、前記第１の方向に平行、かつ、前記第１の方向に対して反対の方向、前記第１の方向および前記第２の方向と交差する第３の方向、および、前記第３の方向に平行、かつ、前記第３の方向に対して反対の方向から前記生体を配置可能に構成されている。適用例５の生体情報生成装置によれば、配置規定部は、生体読取面に対して４方向から生体を配置可能に構成されている。従って、簡易な構成で、１の生体から複数の生体情報を生成できる。
【００１４】
［適用例６］
適用例２の生体情報生成装置であって、前記取得部は、前記生体読取面に配置された前記生体を撮影するための光学ユニットを含み、前記保護カバーには、前記光学ユニットの性能確認に利用される図形が設けられている。適用例６の生体情報生成装置によれば、光学ユニットの性能確認に利用される図形が保護カバーに設けられている。従って、新たに部品を必要とすることなく、光学ユニットの性能確認を実行できる。
【００１５】
［適用例７］
適用例１ないし適用例６の生体情報生成装置であって、前記生体情報には、前記画像データに基づいて抽出された前記生体の特徴量を表す特徴量情報が含まれている。適用例７の生体情報生成装置によれば、生体情報には、生体の特徴量情報が含まれている。よって、生体情報テンプレートのデータ量を軽量化できる。
【００１６】
［適用例８］
適用例１の生体情報生成装置であって、前記生体情報生成部は、更に、前記画像データにより表される前記生体の画像に基づいて、前記生体の位置または向きを検出する。適用例８の生体情報生成装置によれば、生体の画像に基づいて生体の向きが検出される。従って、センサなどの別部品を新たに設けることなく、生体の向きを検出できる。
【００１７】
［適用例９］
生体認証装置であって、適用例１ないし適用例８いずれかの生体情報生成装置と、前記生体の位置または向き、前記生体の位置または向きごとに取得される生体情報、および、前記生体情報テンプレートに基づいて、前記生体の認証を行う認証部と、を備える。適用例９の生体認証装置によれば、１の生体から複数の生体情報を生成することのできる生体情報生成装置が備えられている。従って、１の認証装置で、１の生体から複数の生体情報テンプレートの生成と、認証処理を行うことができる。
【００１８】
［適用例１０］
適用例９の生体認証装置であって、前記配置規定部には、前記位置または向きに応じて、予め番号が対応付けられており、前記生体情報テンプレート作成部は、前記生体の位置または向きと、前記番号と、前記生体情報とを関連付けて保存しており、前記生体認証装置は、更に、利用者の暗証番号を格納する格納部と、前記生体の位置または向きに対応付けられた番号を入力する入力部と、を備え、前記認証部は、更に、前記入力された番号と前記暗証番号とを照合して、前記暗証番号の認証を行う。適用例１０の生体認証装置によれば、生体の位置または向きに対応付けられた番号を利用して、生体情報の入力とともに、暗証番号の入力を行い、生体認証および暗証番号認証を同時に実行できる。従って、認証の精度向上、セキュリティの強化、認証処理効率の向上を図ることができる。
【００１９】
本発明において、上述した種々の態様は、適宜、組み合わせたり、一部を省略したりして適用することができる。
【図面の簡単な説明】
【００２０】
【図１】第１実施例における生体認証装置１００を例示する説明図である。
【図２】第１実施例における生体認証装置１００を制御する制御部２００の機能ブロックについて説明する説明図である。
【図３】第１実施例における生体テンプレート生成処理について説明するフローチャートである。
【図４】第１実施例における生体の置き位置について説明する説明図である。
【図５】第１実施例における生体テンプレートを例示する説明図である。
【図６】第１実施例における取引処理について説明するフローチャートである。
【図７】第２実施例における生体認証装置５００を例示する説明図である。
【図８】第２実施例における生体情報テンプレートについて例示する説明図である。
【図９】第２実施例における取引処理を説明するフローチャートである。
【図１０】変形例（１）における生体認証装置７００を例示する説明図である。
【図１１】変形例（１）における生体の入力態様について説明する説明図である。
【図１２】変形例（２）における生体認証装置の光学センサ保護カバーを例示する説明図である。
【図１３】変形例（３）における生体認証装置の光学センサ保護カバーを例示する説明図である。
【発明を実施するための形態】
【００２１】
Ａ．第１実施例：
Ａ１．システム概要：
以下図面を参照しながら本発明の実施形態について説明する。図１は、第１実施例における生体認証装置１００を例示する説明図である。生体認証装置１００は、光学センサ保護カバー可動エリア１０１、光学読取エリア１０２、光学センサ保護カバー１０３を備える。光学センサ保護カバー１０３は、矢印Ｒ１に沿って、光学センサ保護カバー可動エリア１０１上を可動可能に構成されている。光学読取エリア１０２は、生体が配置される領域である。なお、第１実施例において、生体とは指であり、生体情報とは、指の指紋の特徴量を表す。
【００２２】
光学センサ保護カバー１０３は、生体接触部１０３ａ、１０３ｂを備えており、矢印R1に示すようにスライド可能に構成されている。利用者は、生体接触部１０３ａに指先を接触させ、矢印Ｒ２方向へ押し出したり、矢印Ｒ３方向引き戻したりすることにより光学センサ保護カバー１０３をスライドさせて光学読取エリア１０２を露出させ、光学読取エリア１０２に指を対向させる。なお、光学読取エリア１０２は、特許請求の範囲の「生体読取面」にあたり、光学センサ保護カバー１０３は、特許請求の範囲の「保護カバー」に当たる。生体認証装置１００が未使用の状態では、光学読取エリア１０２は光学センサ保護カバー１０３で覆われており、埃や汚れの付着、破損が防止される。
【００２３】
図２は、第１実施例における生体認証装置１００を制御する制御部２００の機能ブロックについて説明する説明図である。制御部２００は、図示しないＣＰＵ，ＲＯＭ，ＲＡＭを備えており、ＣＰＵが各機能ブロックを制御することにより、生体情報の生成、生体の認証処理を実行する。
【００２４】
制御部２００は、生体画像データ採取部２０１、生体照合データ生成部２０２、生体情報生成・照合部２０３、生体採取タイミング検出部２０４、生体採取位置検出センサ部２０５、生体付帯情報入力部２０６、生体付帯情報生成部２０８、インターフェース部２０９を備える。以下、各機能ブロックについて詳細に説明する。なお、第１実施例において、生体採取位置検出センサ部２０５は、特許請求の範囲の「検出部」、生体照合データ生成部２０２は、特許請求の範囲の「生体情報生成部」、生体情報生成・照合部２０３は、特許請求の範囲の「生体情報テンプレート作成部」に当たる。
【００２５】
生体画像データ採取部２０１は、光学読取エリア１０２を赤外光で照射する照射モジュールと、光学読取エリア１０２に配置された指を撮影し、撮影した指の画像データを生成するカメラモジュールとを備える。生体採取タイミング検出部２０４は、生体が光学読取エリア１０２の規定の置き位置に到達した時点で、生体画像データ採取部２０１からリアルタイムに送信される生体画像データを用いて、指などの生体の静止状態を検知した時点での画像データを保持する。生体照合データ生成部２０２は、生体採取タイミング検出部２０４に保持された画像データを用いて生体（指）の特徴量を含む生体情報を生成する。なお、第１実施例において、規定の置き位置とは、図１に示す位置Ａ，ＢおよびＣを表す。
【００２６】
生体採取位置検出センサ部２０５は、光学センサ保護カバー１０３が規定の置き位置に到達すると、光学センサ保護カバー１０３の位置情報を、生体の置き位置の情報として取得する。生体付帯情報入力部２０６は、図示しない入力手段を介して入力された、利用者の氏名、生年月日を表す情報などの個人情報を入力する。生体付帯情報生成部２０８は、生体採取位置検出センサ部２０５により検出された生体の置き位置と、生体付帯情報入力部２０６により入力された生体付帯情報とを関連付ける。なお、生体情報認証とともに、従来の暗証番号認証を組み合わせても良い。この場合、生体付帯情報入力部２０６が、暗証番号設定の機能を併せて備えても良い。
【００２７】
生体情報生成・照合部２０３は、生体照合データ生成部２０２で生成された生体情報と、生体付帯情報生成部２０８により生成された生体付帯情報とを対応付けて、利用者ごとに、生体情報テンプレートを生成する。生体情報テンプレートは、生体認証処理時に取得される利用者の生体情報との照合に用いられるデータである。更に、生体情報生成・照合部２０３は、生体認証処理時に、生体画像データ採取部２０１において取得された利用者の生体の画像データを用いて生体情報データを生成し、生体情報テンプレートと照合する。
【００２８】
インターフェース部２０９は、パーソナルコンピュータやシステム装置など上位装置との種々の情報の送受信を行う。生体認証装置１００は、以上説明した構成を備える。
【００２９】
Ａ２．生体テンプレート生成処理：
図３〜図５を参照して、生体テンプレート生成処理について説明する。図３は、第１実施例における生体テンプレート生成処理について説明するフローチャートである。図４は、第１実施例における生体の置き位置について説明する説明図である。図５は、第１実施例における生体テンプレートを例示する説明図である。図３に示す生体テンプレート生成処理は、制御部２００が各機能ブロックを制御することにより実行される。
【００３０】
制御部２００は、置き位置Ａ，Ｂ，Ｃ（図１参照）のいずれかのうち、利用者の指が置かれた置き位置を検出する（ステップＳ１０）。具体的には、制御部２００は、光学センサ保護カバー１０３の位置を生体の置き位置として検出する。光学センサ保護カバー１０３には、規定の置き位置が設定されており、規定の置き位置とは、図１に示す位置Ａ，Ｂ，Ｃである。生体採取位置検出センサ部２０５は、光学センサ保護カバー１０３がいずれの位置に静止しているかによって、生体の置き位置を検出する。例えば、光学センサ保護カバー１０３が位置Ｂに静止している場合には、生体の置き位置は、「置き位置Ｂ」である。
【００３１】
制御部２００は、次に、生体が静止していることを検出して、光学読取エリア１０２に露出している生体（指）を撮影して画像データを生成する（ステップＳ１２）。制御部２００は、画像データを解析して生体の特徴量（例えば、指紋の特徴を表す情報）を生体情報として生成し（ステップＳ１４）、生体の置き位置を表す情報と対応付けて生体テンプレートを生成し、保存する（ステップＳ１６）。
【００３２】
なお、図３では説明を省略しているが、利用者の氏名や生年月日等の情報を入力し、これらの情報を、ステップＳ１６において、生体と置き位置と対応付けて管理してもよい。
【００３３】
図４を参照して、各置き位置に生体が置かれた際の生体の画像の違いについて説明する。図４（ａ）は、置き位置Ａに生体が置かれた際に撮影される生体の画像について示しており、図４（ｂ）は、置き位置Ｂに生体が置かれた際に撮影される生体の画像について示しており、図４（ｃ）は、置き位置Ｃに生体が置かれた際に撮影される生体の画像について示している。
図４（ａ）に示すように、利用者は、指Ｓを光学センサ保護カバー１０３の生体接触部１０３ａの側面に接触させ、矢印Ｒ１方向に光学センサ保護カバー１０３をスライドさせて移動させ、生体接触部１０３ａの端部が置き位置Ａまで移動した際に、指Ｓの移動を止める。この状態では、図４（ａ）に示すように、光学ユニット部が撮影対象とする範囲３００のうち、領域３０２のみが外部に露出しており、領域３０４（ハッチングで示す）は、光学センサ保護カバー１０３に覆われている。そのため、領域３０２内に含まれる生体（指Ｓ）の部分が画像データに含まれることになる。図４（ａ）では、指の第１関節よりも上部が撮影されることを示している。
【００３４】
同様に、図４（ｂ）に示すように、生体（指Ｓ）が置き位置Ｂに置かれている場合、図４（ａ）よりも領域３０２が広くなっており、指の第１関節の下部までが撮影される。また、図４（ｃ）に示すように、生体（指Ｓ）が置き位置Ｃに置かれている場合、図４（ｂ）よりも領域３０２が広くなっており、指の第２関節近辺までが撮影される。置き位置Ａに指を置いた場合に生成される画像データ、置き位置Ｂに指を置いた場合に生成される画像データおよび置き位置Ｃに指を置いた場合に生成される画像データは、図４（ａ）〜図４（ｃ）に示すように、互いに異なるものとなる。このように、生体（第１実施例では、指Ｓ）の置き位置を異ならせることにより、１つの生体から、置き位置ごとに異なる複数の画像データを取得することができる。
【００３５】
制御部２００は、このように取得した各置き位置ごとの画像データを解析して、置き位置ごとに、生体の特徴量、生体情報として算出し、置き位置を表す情報と合わせて利用者単位で生体情報テンプレートを生成する。第１実施例では、置き位置Ａに指を置いた場合に算出される生体情報を情報Ａ，置き位置Ｂに指を置いた場合に算出される生体情報を情報Ｂ，置き位置Ｃに指を置いた場合に算出される生体情報を情報Ｃとする。図５に示すように、生体情報テンプレート４００は、「置き位置」と「生体情報」の２項目から構成される。「置き位置」には、置き位置を表す情報が格納されており、「生体情報」には、生体情報が格納されている。第１実施例では、置き位置Ａの生体情報は情報Ａであり、置き位置Ｂの生体情報は情報Ｂであり、置き位置Ｃの生体情報は情報Ｃである。このように、生体の置き位置を変えることにより、異なる画像データを取得することができ、同一の生体から、複数の生体情報を生成し利用することができる。
【００３６】
Ａ３．出金取引処理：
第１実施例では、生体認証装置１００が現金自動取引装置（ＡＴＭ）に搭載された場合の出金取引処理について説明する。ここでは、ＡＴＭは、ＡＴＭを利用する利用者が所望する出金額に応じて、１の生体について採取される１つ以上の生体情報を用いて、利用者の認証処理を行い、取引の実行可否を判断する。出金取引処理は、図示しないＡＴＭの制御ユニット（以降、第１実施例では単に「制御ユニット」と呼ぶ）が、生体認証装置１００やＡＴＭの各機能ブロックを制御することにより実行される。
【００３７】
制御ユニットは、利用者の操作に応じて、利用者が所望する出金金額を入力する（ステップＳ２０）。制御ユニットは、出金金額が生体認証装置１００万円以下であるかを判断し（ステップＳ２２）、１００万円以下である場合には（ステップＳ２２：ＹＥＳ）、利用者に生体情報の入力を促して生体検知処理を行い（ステップＳ２４）、生体情報テンプレート４００に格納されている情報と利用者により入力された生体情報との認証を行う（ステップＳ３２）。制御ユニットは、出金金額が１００万円以下である場合には、置き位置Ａに生体（指）を配置するように案内し、生体情報を取得する。次に、制御ユニットは、取得した利用者の生体情報と、この利用者の生体情報テンプレート４００に格納されている置き位置Ａの生体情報である情報Ａとを照合する。
【００３８】
制御ユニットは、１００万円以下の出金でない場合（ステップＳ２２：ＮＯ）、１０００万円以下の出金であるかを判断する（ステップＳ２６）。制御ユニットは、１００万円を超え、１０００万円以下である場合には（ステップＳ２６：ＹＥＳ）、利用者に生体情報の入力を促して生体検知処理を行い（ステップＳ２８）、生体情報テンプレート４００に格納されている情報と利用者により入力された生体情報との認証を行う（ステップＳ３２）。制御ユニットは、出金金額が１００万円を超え、１０００万円以下である場合には、置き位置Ａに生体が置かれた際の生体情報と、置き位置Ｂに生体が置かれた際の生体情報、の２つの生体情報を用いて認証を行う。制御ユニットは、まず、置き位置Ａに生体（指）を配置するように案内し、置き位置Ａにおける生体情報を取得した後、置き位置Ｂに生体を配置するように案内し、置き位置Ｂにおける生体情報を取得する。次に、制御ユニットは、取得した利用者の生体情報と、この利用者の生体情報テンプレート４００に格納されている置き位置Ａの生体情報である情報Ａおよび置き位置Ｂにおける生体情報である情報Ｂとを照合する。
【００３９】
制御ユニットは、１０００万円以下の出金でない場合（ステップＳ２６：ＮＯ）、１０００万円以上の出金であると判断して、利用者に生体情報の入力を促して生体検知処理を行い（ステップＳ３０）、生体情報テンプレート４００に格納されている情報と利用者により入力された生体情報との認証を行う（ステップＳ３２）。制御ユニットは、出金金額が１００万円以上である場合には、置き位置Ａに生体が置かれた際の生体情報と、置き位置Ｂに生体が置かれた際の生体情報と、置き位置Ｃに生体が置かれた際の生体情報、の３つの生体情報を用いて認証を行う。制御ユニットは、置き位置Ａ、置き位置Ｂ，置き位置Ｃにおける生体情報を取得し、取得した利用者の３つの生体情報と、この利用者の生体情報テンプレート４００に格納されている置き位置Ａ、Ｂ，Ｃの生体情報である情報Ａ、ＢおよびＣとを照合する。
【００４０】
制御ユニットは、認証が成功したか、すなわち、取得した生体情報と、利用者の生体情報テンプレート４００に格納されている生体情報とが一致するかを判断し（ステップＳ３４）、一致する場合には（ステップＳ３４：ＹＥＳ）、認証が成功したと判断して取引を実行する（ステップＳ３６）。なお、照合すべき生体情報が複数ある場合には、全ての生体情報が一致する場合のみ、認証成功と判断する。制御ユニットは、取得した生体情報と、利用者の生体情報テンプレート４００に格納されている生体情報とが一致しない場合には（ステップＳ３４：ＮＯ）、認証が失敗したとして、取引を中止する（ステップＳ３８）。
【００４１】
以上説明した第１実施例の生体認証装置１００によれば、１の生体について、生体の置き位置ごとに取得した画像データに基づいて生体情報を生成できる。従って、適用例１の生体から複数の生体情報テンプレート４００を生成できる。
【００４２】
また、第１実施例の生体認証装置１００によれば、光学ユニット部に対する生体の方向、および、光学ユニット部に対向する生体の露出面積の少なくとも一方が異なるように生体が配置可能に構成された光学センサ保護カバー１０３が設けられている。第１実施例では、光学センサ保護カバー１０３をスライドさせることにより、光学ユニット部に対向する生体の露出面積が異なる。従って、生体を種々の態様に配置することができる。従って、簡易な構成で、１の生体に対して複数の生体情報を生成できる。
【００４３】
また、第１実施例の生体認証装置１００によれば、光学ユニット部を保護するための可動式の光学センサ保護カバー１０３の位置を検出することにより、生体の置き位置が検出される。従って、光学ユニット部を保護しつつ、生体の置き位置を容易に検出できる。
【００４４】
また、第１実施例の生体認証装置１００によれば、生体情報には、生体の特徴量情報が含まれている。よって、生体情報テンプレート４００のデータ量を軽量化できる。
【００４５】
Ｂ．第２実施例：
第２実施例では、光学センサ保護カバーの移動量に応じて数字の入力ができるように構成された生体認証装置を用いて、生体認証とともに、暗証番号認証を行う。
【００４６】
Ｂ１．システム概要：
図７は、第２実施例における生体認証装置５００を例示する説明図である。生体認証装置５００は、光学センサ保護カバー可動エリア５０１、光学読取エリア５０２、光学センサ保護カバー５０３を備える。光学センサ保護カバー５０３は、矢印Ｒ１に沿って、光学センサ保護カバー可動エリア５０１上を可動可能に構成されている。光学読取エリア５０２は、生体が配置される領域である。なお、第２実施例において、生体とは指であり、生体情報とは、指の指紋の特徴量を表す。
【００４７】
光学センサ保護カバー５０３は、生体接触部５０３ａを備えており、利用者は、生体接触部５０３ａに指先を接触させスライドさせることにより光学センサ保護カバー５０３を移動させて光学読取エリア５０２を露出させ、光学読取エリア５０２に指を対向させる。
【００４８】
図７に示すように、生体認証装置５００は、光学センサ保護カバー５０３をスライドさせる位置ごとに、数字が０〜９まで表記されており、生体認証装置５００内部に設けられている生体採取位置検出センサ（図示省略）を用いて、光学センサ保護カバー５０３の位置を検出し、その位置に対応付けられている番号が暗証番号として入力される。例えば、生体として同一の指を用いた場合、置き位置「２」で取得される生体の画像データと、置き位置「８」で取得される生体の画像データは、生体の向きが異なっているので、異なる画像となる。よって、同一の生体（指）から、置き位置に応じて異なる生体情報が採取されるとともに、置き位置に対応付けられている番号「２」、「８」が暗証番号として入力される。
【００４９】
なお、生体認証装置５００に備えられている生体採取位置検出センサは、光学センサ保護カバー５０３の光学読取エリア５０２上における位置を検出可能な種々の公知の構成をとることができる。
【００５０】
図８は、第２実施例における生体情報テンプレートについて例示する説明図である。第２実施例では、第１実施例と同様に、生体の置き位置ごとに、同一の生体から異なる生体情報が生成される。図８の「生体情報テンプレート６００において、「位置番号」には、置き位置に対応付けられている番号が格納されており、「生体情報」には、生体情報が格納されている。なお、図示は省略するが、生体認証装置５００は、位置番号に応じた位置情報、利用者の暗証番号を別途保持している。
【００５１】
Ｂ２．取引処理：
第２実施例では、第１実施例と同様に、生体認証装置５００が現金自動取引装置（ＡＴＭ）に搭載された場合の出金取引処理について説明する。ここでは、ＡＴＭを利用する利用者が所望する出金額に応じて、生体情報の入力とともに入力される暗証番号を用いて、利用者の認証処理を行う。第２実施例では、暗証番号は４桁の数字の羅列であり、予め利用者により設定されている。取引処理は、図示しないＡＴＭの制御ユニット（以降、第２実施例では単に「制御ユニット」と呼ぶ）が、生体認証装置５００やＡＴＭの各機能ブロックを制御することにより実行される。図９において、ｉは暗証番号の桁数を示しており、１以上の整数を表す。
【００５２】
図９は、第２実施例における取引処理を説明するフローチャートである。制御ユニットは、利用者から取引内容の入力を受け付けると（ステップＳ５０）、生体が置かれている位置を検出し、位置番号を特定する（ステップＳ５２）。次に、制御ユニットは、生体が置かれている置き位置で取得された生体情報と、生体情報テンプレート６００に格納されている生体情報とが一致するか、および、利用者の暗証番号のｉ番目の数字と位置番号が一致するかを判断し（ステップＳ５４）、生体情報および暗証番号が一致する場合には（ステップＳ５４：ＹＥＳ）、ｉ＝４であるかを判断する（ステップＳ５８）。制御ユニットは、生体情報もしくは暗証番号のｉ番目の数字と位置番号との少なくとも一方でも一致しない場合には（ステップＳ５４：ＮＯ）、取引処理を中止する（ステップＳ５６）。なお、第２実施例では、暗証番号が４桁であるので、ステップＳ５８においてｉ＝４であるかの判断がなされているが、暗証番号の桁数に応じて適宜変更してもよい。
【００５３】
制御ユニットは、ｉ＝４でない場合には（ステップＳ５８：ＮＯ）、認証処理が終了していないと判断して、ｉを１増加し（ステップＳ６０）、ステップＳ５２に戻り、生体情報および暗証番号の入力を継続して受け付ける。制御ユニットは、ｉ＝４の場合には（ステップＳ５８：ＹＥＳ）、生体認証および暗証番号の認証が終了したと判断して取引を実行する（ステップＳ６２）。以上の通り、生体情報と暗証番号との２つの認証手段により利用者の認証が行われる。
【００５４】
以上説明した第２実施例の生体認証装置５００によれば、生体の置き位置に対応付けられた番号を利用して、生体情報の入力とともに、暗証番号の入力を行い、生体認証および暗証番号認証を同時に実行できる。従って、認証の精度向上、セキュリティの強化、認証処理効率の向上を図ることができる。
【００５５】
なお、第２実施例の生体認証装置５００では、置き位置に対して、０から９まで順に数字が対応付けられているが、数字はランダムに対応付けられていても良い。
【００５６】
Ｃ．変形例：
（１）図１０は、変形例（１）における生体認証装置７００を例示する説明図である。図１１は、変形例（１）における生体の入力態様について説明する説明図である。生体認証装置７００は、光学センサ保護カバー可動エリア７０１と、光学読取エリア７０２と、光学センサ保護カバー７０３とを備えるとともに、第１実施例における生体認証装置１００の制御部２００と同様の制御システムを内部に備えている。光学センサ保護カバー７０３は、光学センサ保護カバー可動エリア７０１上を図に示す上下左右の４方向に可動可能に構成されており、生体接触部７０３ａ上に置かれた生体（指）が、光学読取エリア７０２に対向するように形成された貫通部７０３ｂを備える。なお、変形例（１）において、上、下、左、右の４方向は、特許請求の範囲の「第１の方向」、「第２の方向」、「第３の方向」、「第４の方向」に当たる。
【００５７】
生体認証装置７００において、下方から生体情報を入力する場合、図１１（ａ）に示すように、利用者は、生体接触部７０３ａ上に生体（指）を置き、下方（図面手前側）から、上方（図面奥側）へ光学センサ保護カバー５０３をスライドさせ、光学読取エリア７０２上をスライドさせる。また、図１１（ｂ）に示すように、利用者は、図面右側から生体接触部７０３ａ上に生体を置き、右側から左側へスライドさせ、規定の位置、あるいは、利用者の所望の位置で止める。各方向について、スライド位置を複数設定すれば、より多くの生体情報を取得可能となる。生体認証装置７００の制御部は、光学センサ保護カバー７０３の静止状態を検出し、光学センサ保護カバー７０３の位置を検出するとともに、生体情報を採取する。また、このような種々の方向から生体情報を入力可能な場合、センサにより光学センサ保護カバー７０３のスライド方向を検出することにより、生体の向きを特定してもよいし、撮影された生体の画像データを解析して、生体の方向を検出してもよい。こうすることにより、生体情報の入力の態様のバリエーションを増加させることができ、１の生体から多数の生体情報を取得できる。
【００５８】
変形例（１）によれば、光学読取エリア７０２は、光学ユニット部に対して多方向から生体を配置可能に構成されている。同じ生体であっても、撮影する方向が異なると、生体への赤外光の当たり方が異なることにより、別の画像となる。従って、撮影する方向を異ならせることにより、簡易に、１の生体から複数の生体情報を生成できる。また、生体認証装置７００は、４方向から生体を配置可能に構成されているので、簡易な構成で、１の生体から複数の生体情報を生成できる。
【００５９】
（２）図１２は、変形例（２）における生体認証装置の光学センサ保護カバーを例示する説明図である。図１２の光学センサ保護カバー７５０は光学センサ保護カバー１０３と同様の形状のカバーであり、裏面に、光学センサの解像度のチェックを行うためのパターン７５１や光学センサの明度のチェックを行うためのパターン７５２等の図形が印刷されている。こうすることにより、生体認証処理など実施していない時に生体を読み取るセンサを用いて、光学センサ保護カバー７５０に印刷されているパターンの読み取りを行うことで生体を読み取る光学センサが正常か否かの自己診断をすることができ、光学センサ診断用の部品を新たに準備する必要が無くなる。
【００６０】
（３）図１３は、変形例（３）における生体認証装置の光学センサ保護カバーを例示する説明図である。図１３の光学センサ保護カバー７６０は、カバーの一部に読取開口部７６１があり、第１実施例の光学センサ保護カバー１０３と同様に、光学センサ保護カバー７６０がスライドすることで、読取開口部７６１を通して生体が光学ユニット部に対向し、生体の画像データが取得される。この場合、生体を読み取るストローク量、すなわち、取得された生体の画像に表されている生体の範囲に変化はないが、採取された全体画像の中で配置される位置の差異が発生する。従って、このような構成としても、全くの同一生体情報にも関わらず、赤外光の照射位置の差異等に応じて、異なる２つ以上の情報として扱うことができる。
【００６１】
（４）上述の各実施例では、生体画像データ採取部２０１は、光学ユニット部が固定されているが、例えば、公知のスキャナのように、生体に対して、光学ユニット部が光学読取エリア内を相対的に移動する構成としてもよい。
【００６２】
（５）上述の各実施例では、生体が静止した状態で画像データを取得しているが、例えば、生体を光学読取エリアに対して相対的に移動させて画像データを取得する構成としてもよい。この場合、指を移動させる始点もしくは終点を異なるように構成すれば、１の生体から異なる画像データを取得できる。
【００６３】
以上、本発明の種々の実施例について説明したが、本発明はこれらの実施例に限定されず、その趣旨を逸脱しない範囲で種々の構成をとることができる。
【符号の説明】
【００６４】
１００…生体認証装置
１０１…光学センサ保護カバー可動エリア
１０２…光学読取エリア
１０３…光学センサ保護カバー
１０３ａ、１０３ｂ…生体接触部
２００…制御部
２０１…生体画像データ採取部
２０２…生体照合データ生成部
２０３…生体情報生成・照合部
２０４…生体採取タイミング検出部
２０５…生体採取位置検出センサ部
２０６…生体付帯情報入力部
２０８…生体付帯情報生成部
２０９…インターフェース部
３００…範囲
３０２…領域
３０４…領域
４００…生体情報テンプレート
５００…生体認証装置
５０１…光学センサ保護カバー可動エリア
５０２…光学読取エリア
５０３…光学センサ保護カバー
５０３ａ…生体接触部
６００…生体情報テンプレート
７００…生体認証装置
７０１…光学センサ保護カバー可動エリア
７０２…光学読取エリア
７０３…光学センサ保護カバー
７０３ａ…生体接触部
７０３ｂ…貫通部
７５０…光学センサ保護カバー
７５１…パターン
７５２…パターン
７６０…光学センサ保護カバー
７６１…読取開口部
【図１】
0005442330.tif 000002
【図２】
0005442330.tif 000003
【図３】
0005442330.tif 000004
【図４】
0005442330.tif 000005
【図５】
0005442330.tif 000006
【図６】
0005442330.tif 000007
【図７】
0005442330.tif 000008
【図８】
0005442330.tif 000009
【図９】
0005442330.tif 000010
【図１０】
0005442330.tif 000011
【図１１】
0005442330.tif 000012
【図１２】
0005442330.tif 000013
【図１３】
0005442330.tif 000014